(57)【特許請求の範囲】
【請求項１】
インターネットショッピングモール・オープンマーケットシステム（１０）にブログスクラップセールスモジュール（１００）を構成し、該ブログスクラップセールスモジュール（１００）の制御の下に、
スクラップボタンを具備した商品販売または競売記事をインターネットショッピングモールまたはオープンマーケットの商品販売ページまたは競売ページに掲載し、
前記スクラップボタンがユーザーにより押された時、前記商品販売ページまたは競売ページのＵＲＬ（Ｕｎｉｆｏｒｍ Ｒｅｓｏｕｒｃｅ Ｌｏｃａｔｏｒ）にブロガー認識情報を追加し、該ＵＲＬをアイフレーム（ｉｆｒａｍｅ）タグで包んで、広報用ブログシステム（３０）のブログ記事生成・編集部と連係してユーザーの広報用ブログサイトの記事として掲載し、
前記広報用ブログサイトに記事として掲載された商品販売または競売ページで商品販売または競売を直接進行させ、
販売や競売が完了すると、ブログ記事を掲載したブロガーに、販売報償金をインターネットを介した決済サービスで送金する、もしくは、販売補償請求に関する案内を転送することを特徴とする、
ブログスクラップセールスモジュールを介した商品・コンテンツ販売装置。
【請求項２】
前記ブログスクラップセールスモジュール（１００）は、
前記インターネットショッピングモールまたはオープンマーケットの商品販売または競売ページの一側にスクラップボタンを具備し、前記スクラップボタンがユーザーにより動作された時、該当の商品販売または競売ページのインターネットアドレスであるＵＲＬ、前記ユーザーのｅ−メール、商品販売または競売ページを掲載しようとするブログのＵＲＬ、及び前記ユーザーのＩＤ及びパスワードを前記ユーザーから受信し、ブログ記事入力連係部（１６０）を呼び出して広報用ブログシステムのブログ記事生成・編集部を介して広報用ブログシステムに記事として掲載し、ブログスクラップ関連情報をスクラップＤＢ（１２０）に保存するスクラップ処理部（１１０）と、
前記スクラップ処理部（１１０）を介して、１つのブログ記事としてスクラップされた商品販売または競売ページのインターネットアドレスであるＵＲＬを保存すると同時に、ブロガーのｅ−メール、記事が掲載されたブログのＵＲＬ、スクラップ日時を含む前記ブログスクラップ関連情報を、スクラップ件別に保存するスクラップＤＢ（Ｄａｔａｂａｓｅ）（１２０）と、
前記広報用ブログサイトに掲載された商品販売または競売ページを介して商品販売または競売が完了した時、インターネットショッピングモールまたはオープンマーケットシステム（１０）の提携販売連係部（１１）を介して呼び出され、ブログに記事を掲載したブロガーに販売完了の情報と販売補償を請求するようにとの案内を送信する、もしくは、該当のブロガーに販売報償金をインターネットを介した決済サービスで送金するように制御する販売補償処理部（１３０）と、
ブログ記事として掲載された商品販売または競売ページで取引が完了した場合、商品販売または競売ページのＵＲＬ、ブロガーｅ−メール、注文日時、価格、ブログ販売報償金、販売補償処理が完了したか否かを含む情報を保存するスクラップ販売ＤＢ（１４０）と、
前記広報用ブログサイトに前記商品販売ページまたは競売ページを掲載するためにブログスクラップセールスモジュールと連係させ、広報用ブログシステムのブログ記事生成・編集部を介してブログシステムに記事として前記商品販売ページまたは競売ページを掲載するブログ記事入力連係部（１５０）と、
から構成されることを特徴とする、請求項１に記載のブログスクラップセールスモジュールを介した商品・コンテンツ販売装置。
【請求項３】
前記ブログスクラップセールスモジュール（１００）は、
インターネットショッピングモール定価販売システム（“ＳＲ”タイプ）、インターネットショッピングモール競売販売システム（“ＳＡ”タイプ）、オープンマーケット定価販売システム（“ＯＲ”タイプ）、オープンマーケット競売販売システム（“ＯＡ”タイプ）、インターネットショッピングモールコンテンツオンライン配送販売システム（“ＳＣ”タイプ）、またはオープンマーケットコンテンツオンライン配送販売システム（“ＯＣ”タイプ）のいずれかに構成されることを特徴とする、請求項１に記載のブログスクラップセールスモジュールを介した商品・コンテンツ販売装置。
【請求項４】
前記インターネットショッピングモール・オープンマーケットシステム（１０）は、
商品販売または競売が完了した場合、前記ブログスクラップセールスモジュール（１００）の販売補償処理部（１３０）を呼び出して取引関連情報を転送する提携販売連係部（１１）と、
前記商品販売ページまたは競売ページの一側に注文ボタンを具備し、該当の商品に関する注文情報を取引ＤＢ（１３）に保存すると同時に、注文された商品が宛先に配送されるように配送用端末機に注文データを転送する、もしくは、コンテンツ商品の場合には、ファイルのダウンロード、またはオンライン照会、再生または設置により購買者に商品を配送する商品販売・競売処理部（１２）と、
該当の商品に関する注文情報を保存する取引ＤＢ（１３）と、
該当の商品が位置している商品販売ページまたは競売ページのＵＲＬ、商品価格、販売者ｅ−メール及び電話番号を登録して商品ＤＢ（１５）に保存する商品情報登録部（１４）と、
商品販売または競売情報をインターネットショッピングモールまたはオープンマーケットの商品販売ページまたは競売ページに表示する商品販売・競売情報表示部（１６）と、
から構成されることを特徴とする、請求項１に記載のブログスクラップセールスモジュールを介した商品・コンテンツ販売装置。
【発明の詳細な説明】
【技術分野】
【０００１】
本発明は、インターネットショッピングモール、オープンマーケット及びコンテンツ販売サイトの商品販売ページ及び競売ページをブログの記事として掲載し、広報用ブログサイトで直接商品・コンテンツの販売及び競売ができるようにした、ブログスクラップセールスモジュールを用いた商品・コンテンツ販売装置及び方法に関するものである。
【背景技術】
【０００２】
一般に、「ブログ（Ｂｌｏｇ）」は、１人メディアであって、インターネットサーフィン日誌（Ｗｅｂ  Ｌｏｇ）またはインターネット日記を意味し、ネットユーザーがコラム、日記、記事、日常事などを掲載できる一種のサイトのことを指す。
【０００３】
ブログは、個人空間を介して活発な話し合いが可能な双方向コミュニケーションの性格を有し、有形または無形のコミュニティ領域を形成する。本発明でいうブログは、一般のブログはもとより、ブログショップも含む。
【０００４】
かかるブログの特性を用いて、先行技術ではブログを介した様々なインターネットショッピングモール販売装置及び方法を提示してきた。
【０００５】
米グーグル社（Ｇｏｏｇｌｅ）は、自社の検索広告プログラムであるアドワーズ（ＡｄＷｏｒｄｓ）においてブログに広報文句を掲載し、その単語を潜在的消費者がクリックすることで該当の商品の販売サイトへと移動できるようにしている。
【０００６】
この場合、潜在的消費者に連想単語を用いて商品を広報する効果はあるが、販売サイトに移動して詳細な商品情報を見る消費者の数はごく少ないという短所がある。
【０００７】
韓国公開特許公報第１０−２００６−００３１４７１号では、ブログショップ登録段階、商品ポスティング段階、スポンサー登録段階、商品注文段階、商品状態掲示段階、商品状態確認段階からなるブログショップを用いた電子商取引方法が提示されている。なお、韓国公開特許公報第１０−２００８−００３０２０２号では、登録会員にマイページ及びブログを提供する段階；ショッピングモールのＵＲＬデータ及び商品イメージデータを含む商品情報を受ける段階；個人指定カテゴリーや推薦商品カテゴリー、新商品カテゴリー、ヒット商品カテゴリーまたは共同購買・競売カテゴリーのいずれかのカテゴリーに前記商品情報をアップロードして前記ブログ内に掲載する段階；及び、商品情報をブログ訪問者に提供する段階を具備する、ブログを用いたインターネットショッピングモール広報及び販売方法が提示されている。
【０００８】
これらの先行技術は、ブログにショッピングモール機能を付け加えて新しいインターネット販売装置及び方法を提示したものである。
【０００９】
一方、販売者にとっては、既存のショッピングモール販売装置やオープンマーケット販売装置に比べてより販売に有利な上記のブログショップ方式の販売装置を選択することが可能になった。
【００１０】
しかしながら、インターネットショッピングモールやオープンマーケットを介した売買及び競売方法が最も一般的な方法と定着しているインターネット電子商取引市場において、上記のブログショップ方法は独自の技術的利点を明確に有するにもかかわらず、販売者に選択してもらえることは難しいという現実にぶつかり、現在は、上記先行技術のブログショップ方式を適用したインターネットショッピングサイトはほとんど存在していない状況である。
【発明の概要】
【発明が解決しようとする課題】
【００１１】
本発明は上記の問題点に鑑みてなされたもので、その目的は、インターネットショッピングモール、オープンマーケット、またはコンテンツ販売サイトの商品販売ページ及び競売ページをブログの記事として掲載することで、ブログに掲載された商品販売ページ及び競売ページで消費者が直接商品購買及び競売入札を行うことができ、スクラップ販売補償を希望するブロガーが商品販売ページ及び競売ページを広報用ブログサイトに掲載することで、潜在的消費者への商品露出及び販売を増加させることができる、ブログスクラップセールスモジュールを介した商品・コンテンツ販売装置及び方法を提供することにある。
【課題を解決するための手段】
【００１２】
上記の目的を達成するために、本発明に係るブログスクラップセールスモジュールを介した商品販売装置は、インターネットショッピングモールまたはオープンマーケットのサーバーにブログスクラップセールスモジュール（Ｂｌｏｇ  Ｓｃｒａｐ  ｓａｌｅｓ  ｍｏｄｕｌｅ）を構成し、該ブログスクラップセールスモジュールの制御の下に、商品販売ページ及び競売ページのＵＲＬ（Ｕｎｉｆｏｒｍ  Ｒｅｓｏｕｒｃｅ  Ｌｏｃａｔｏｒ）にブロガー認識情報を追加し、該ＵＲＬをアイフレーム（ｉｆｒａｍｅ）タグで包んで、広報用ブログサイトの記事編集機能と連係してブログ記事として掲載し、広報用ブログサイトに記事として掲載された商品販売及び競売ページで商品販売及び競売が直接行われるようにし、販売や競売が完了すると、ブログ記事として掲載した行為者のｅ−メールに販売報償金をペイパル（Ｐａｙｐａｌ）で送金することによって達成される。
【００１３】
また、本発明に係るブログスクラップセールスモジュールを介した商品販売方法は、
ブログスクラップセールスモジュールが構成されたインターネットショッピングモールまたはオープンマーケットに、商品情報及びブログ販売補償情報を登録する商品登録段階と、
ブログスクラップセールスモジュールの制御の下に、インターネットショッピングモールまたはオープンマーケットに登録された商品情報及びブログ販売補償情報をチェックした後、該当の商品の販売ページ及び競売ページをブログの記事として掲載し、誰がどのページをどこに掲載したかをデータベースに保存するブログ掲載段階と、
ブログに掲載された商品販売ページ及び競売ページの一側に構成されたスクラップボタンを用いて所望の広報用ブログサイトの記事に商品販売ページ及び競売ページが複製されるようにし、誰がどのページをどこに掲載したかをデータベースに保存するブログ伝播段階と、
広報用ブログサイトに記事として掲載された商品販売ページ及び競売ページの一側に構成された注文ボタンに連係しているプログラムによって該当の商品に関する注文情報を保存すると同時に、注文商品のページＵＲＬ、注文日時、価格、ブログ販売補償情報をデータベースに保存し、宛先に商品が配送されるように販売者に注文データを転送したり、コンテンツ商品をファイルダウンロードやオンライン照会により購買者に配送する商品販売段階と、
ブログスクラップセールスモジュールの制御部を介して商品購買及びブログ販売による購買決済及び配送が完了したか否かをチェックし、ブログスクラップ行為者のｅ−メールに、販売補償請求情報を送信したり、ブログ販売報償金を、ペイパルを用いて送る販売補償段階と、からなることによって達成される。
【発明の効果】
【００１４】
以上説明した通り、本発明は、インターネットショッピングモール、及び音楽、映画、漫画、イメージ、ソフトウェア、ゲームなどのコンテンツ販売サイトだけでなく、オープンマーケットにおいても適用することができ、商品販売機能の他に、入札による競売機能まで行うことができるため、商品の購買者及び販売者の他、該当の商品をスクラップしたブロガーまで１つのコミュニティとし、商品のマーケティング伝播速度を高めることができる。
【図面の簡単な説明】
【００１５】
【図１】本発明に係るブログスクラップセールスモジュールを介した商品・コンテンツ販売装置を示すブロック図である。
【図２】本発明に係るブログスクラップセールスモジュールを介した商品・コンテンツ販売装置の構成要素を示すブロック図である。
【図３】本発明に係るブログスクラップセールスモジュールの構成要素を示すブロック図である。
【図４】本発明に係るインターネットショッピングモール定価販売システム（ＳＲタイプ）においてブログスクラップセールスモジュールを介した商品販売方法を示すブロック図である。
【図５】本発明に係るインターネットショッピングモール定価販売システム（ＳＲタイプ）においてブログスクラップセールスモジュールを介した商品販売方法を示すフローチャートである。
【図６】本発明に係るインターネットショッピングモール競売販売システム（ＳＡタイプ）においてブログスクラップセールスモジュールを介した商品販売方法を示すブロック図である。
【図７】本発明に係るインターネットショッピングモール競売販売システム（ＳＡタイプ）においてブログスクラップセールスモジュールを介した商品販売方法を示すフローチャートである。
【図８】本発明に係るオープンマーケット定価販売システム（ＯＲタイプ）においてブログスクラップセールスモジュールを介した商品販売方法を示すブロック図である。
【図９】本発明に係るオープンマーケット定価販売システム（ＯＲタイプ）においてブログスクラップセールスモジュールを介した商品販売方法を示すフローチャートである。
【図１０】本発明に係るオープンマーケット競売販売システム（ＯＡタイプ）においてブログスクラップセールスモジュールを介した商品販売方法を示すブロック図である。
【図１１】本発明に係るオープンマーケット競売販売システム（ＯＡタイプ）においてブログスクラップセールスモジュールを介した商品販売方法を示すフローチャートである。
【図１２】本発明に係るショッピングモールコンテンツオンライン配送販売システム（ＳＣタイプ）においてブログスクラップセールスモジュールを介した商品販売方法を示すフローチャートである。
【図１３】本発明に係るショッピングモールコンテンツオンライン配送販売システム（ＳＣタイプ）においてブログスクラップセールスモジュールを介した商品販売方法を示すフローチャートである。
【図１４】本発明に係るオープンマーケットコンテンツオンライン配送販売システム（ＯＣタイプ）においてブログスクラップセールスモジュールを介した商品販売方法を示すブロック図である。
【図１５】本発明に係るオープンマーケットコンテンツオンライン配送販売システム（ＯＣタイプ）においてブログスクラップセールスモジュールを介した商品販売方法を示すフローチャートである。
【発明を実施するための形態】
【００１６】
本発明で説明される商品は売買されるもので、オンライン音楽、映画、漫画、イメージ、ソフトウェア、ゲームなどのデジタルコンテンツ商品も含む。
【００１７】
以下、本発明の好適な実施例を、添付の図面を参照して説明する。
【００１８】
図１は、本発明に係るブログスクラップセールスモジュールを介した商品・コンテンツ販売装置を示すブロック図で、インターネットショッピングモール・オープンマーケットシステム１０及び広報用ブログシステム３０にそれぞれブログスクラップセールスモジュール１００が連係する構成となっている。
【００１９】
まず、インターネットショッピングモール・オープンマーケットシステム１０について説明する。
【００２０】
本発明に係るインターネットショッピングモール・オープンマーケットシステム１０は、ユーザーコンピュータウェブブラウザ２０上に表示されたインターネットショッピングモールまたはオープンマーケットの商品販売・競売ページをブログの記事として掲載し、広報用ブログサイトで直接商品の販売及び競売を支援するシステムであり、電子商取引を運営する方式と関連して、サイト方式にでおいては単一販売者が運営するショッピングモールシステムと多数の販売者が参加するオープンマーケットシステムとに分類し、商品種類及び販売方法においては商品定価販売システム、商品競売販売システム及びコンテンツオンライン配送販売システムに分類する。
【００２１】
すなわち、本発明に係るインターネットショッピングモール・オープンマーケットシステム１０は、ショッピングモール定価販売システム、ショッピングモール競売販売システム、オープンマーケット−定価販売システム、オープンマーケット競売販売システム、ショッピングモールコンテンツオンライン配送販売システム、オープンマーケットコンテンツオンライン配送販売システムから選択されたいずれか１つとする。
【００２２】
そして、本発明に係るインターネットショッピングモール・オープンマーケットシステム１０は、提携販売連係部１１、商品販売・競売処理部１２、取引ＤＢ１３、商品情報登録部１４、商品ＤＢ１５、商品販売・競売情報表示部１６で構成される。
【００２３】
提携販売連係部１１は、インターネットショッピングモール・オープンマーケットシステムに構成される部分で、商品販売及び競売が完了した場合、ブログスクラップセールスモジュール１００の販売補償処理部１３０を呼び出して取引関連情報を転送する。
【００２４】
すなわち、提携販売連係部１１はブログスクラップセールスモジュールに販売情報を伝達する役割を果たし、この提携販売連係部１１から伝達された販売情報は、ブログスクラップセールスモジュールの販売補償処理部１３０で処理される。
【００２５】
商品販売・競売処理部１２は、商品販売ページ及び競売ページの一側に注文ボタン１３１を具備し、該当の商品に関する注文情報を取引ＤＢ１３に保存すると同時に、注文された商品が宛先に配送されるように配送用端末機に注文データを転送したり、コンテンツ商品である場合は、ファイルダウンロードやオンライン照会及び再生により購買者に商品を配送する役割を果たす。
【００２６】
すなわち、購買者から注文された商品の配送完了を確認したり、または、配送してから一定期間が経過すると、商品販売者に販売金額が送金されるように決定し、該当の取引が広報用ブログサイトに掲載された商品販売・競売ページで発生したか否かを判断し、そうであれば、提携販売連係部１１を介して取引ＤＢ１３からブログ販売補償に必要な情報を検索し、ブログスクラップセールスモジュールの販売補償処理部１３０に転送する。
【００２７】
取引ＤＢ１３は、該当の商品に関する注文情報を保存する。
【００２８】
商品情報登録部１４は、該当の商品が位置している商品販売・競売ページＵＲＬ、商品価格、販売者のｅ−メール及び電話番号、及び販売補償情報を登録して、商品ＤＢ１５に保存する役割を果たす。
【００２９】
商品販売・競売情報表示部１６は、商品販売及び競売情報をインターネットショッピングモールまたはオープンマーケットの商品販売・競売ページに表示する役割を果たす。
【００３０】
次に、ブログスクラップセールスモジュールについて説明する。
【００３１】
本発明に係るブログスクラップセールスモジュール１００は、商品販売ページ及び競売ページのＵＲＬ（Ｕｎｉｆｏｒｍ  Ｒｅｓｏｕｒｃｅ  Ｌｏｃａｔｏｒ）にブロガー認識情報を追加し、このＵＲＬをアイフレーム（ｉｆｒａｍｅ）タグで包んで、広報用ブログシステムのブログ記事生成／編集部と連係してブログ記事として掲載した後、広報用ブログサイトに記事として掲載された商品販売及び競売ページで商品販売及び競売を直接進行させ、販売や競売が完了すると、ブログ記事として掲載をした行為者のｅ−メールに販売報償金をペイパル（Ｐａｙｐａｌ）で転送する機能を担うものである。
【００３２】
このブログスクラップセールスモジュール１００は、図３に示すように、スクラップ処理部１１０、スクラップＤＢ１２０、販売補償処理部１３０、スクラップ販売ＤＢ１４０、ブログ記事入力連係部１５０で構成される。
【００３３】
アイフレームタグは、１つのページ内に別のページを表示させるタグである。
【００３４】
例えば、インターパークという商品販売サイトをアイフレームにすると、タグソース＜ｉｆｒａｍｅｓｒｃ＝”ｈｔｔｐ：／／ｗｗｗ．ｉｎｔｅｒｐａｒｋ．ｃｏ．ｋｒ”  ｗｉｄｔｈ＝”５００”  ｈｅｉｇｈｔ＝”３００”＞＜／ｉｆｒａｍｅ＞が構成される。
【００３５】
本発明に係るブログスクラップセールスモジュール１００は、ＢＳＳ（Ｂｌｏｇ  Ｓｃｒａｐ  Ｓａｌｅｓ）管理サーバーに設置されて管理される。
【００３６】
ここで、ＢＳＳ管理サーバーは、独立して構成されてもよく、ブログスクラップセールスサービスを希望するインターネットショッピングモール・オープンマーケットシステムのサーバーにブログスクラップセールスモジュール１００を設置して構成されてもよい。
【００３７】
スクラップ処理部１１０は、インターネットショッピングモールまたはオープンマーケットの商品販売・競売ページの一側にスクラップボタン１１１を具備し、このボタンがユーザーにより動作された時、該当の商品販売・競売ページのインターネットアドレスであるＵＲＬ、ユーザーのｅ−メール、商品販売・競売ページを掲載しようとするブログのＵＲＬ、及びユーザーのＩＤ及びパスワードをユーザーから受けてスクラップＤＢ１２０に保存し、ブログ記事入力連係部１５０を呼び出し、広報用ブログシステムのブログ記事生成・編集部を介して広報用ブログシステムに商品販売・競売ページを記事として掲載する。
【００３８】
この場合、多数のユーザーによる商品販売・競売ページのブログ掲載を区別するために、商品販売・競売ページのＵＲＬにブロガーのｅ−メール、または、ブロガーを区別できる特別なパラメタを追加してユーザー標識としてスクラップＤＢ１２０に保存し、ブログに掲載して表示される商品販売・競売ページもブロガー標識がされているＵＲＬを使用する。
【００３９】
スクラップＤＢ（Ｄａｔａｂａｓｅ）１２０は、スクラップ処理部１１０で１つのブログ記事として掲載された商品販売・競売ページのインターネットアドレスであるＵＲＬを保存すると同時に、ブロガーのｅ−メール、記事が掲載されたブログのＵＲＬ、スクラップ日時などを含むブログスクラップ関連情報をスクラップ件別に保存する役割を果たす。
【００４０】
また、商品販売・競売ページのＵＲＬを保存しながら、ユーザーを唯一に区別できるｅ−メールなどの特別な標識を、商品販売・競売ページのＵＲＬに付けて保存することによって、この標識されたＵＲＬがブログに掲載されたり、商品取引が発生したりした時、同一商品の販売・競売ページであっても、掲載したブロガーを区別することができる。
【００４１】
販売補償処理部１３０は、広報用ブログサイトに掲載された商品販売・競売ページを介して商品販売または競売が完了した時、インターネットショッピングモール・オープンマーケットシステム１０の提携販売連係部１１を介して呼び出されて、ブログに記事を掲載したブロガーのｅ−メールに、販売完了に関する情報と販売補償を請求するようとの案内を送信したり、該当のブロガーにペイパルで販売報償金を転送するように制御する。
【００４２】
すなわち、ブログスクラップセールスモジュール１００は、提携販売連係部１１を介して商品販売ページ及び競売ページの商品コード、商品名、価格、販売補償情報をインターネットショッピングモール・オープンマーケットシステムから受信し、それらを、販売補償処理部１３０の制御の下に、スクラップ販売ＤＢ１４０に保存する。以降、ブログスクラップセールスモジュール１００は、ブログスクラップ時に商品販売・競売ページのＵＲＬに添付されたブロガー区別標識を用いてスクラップＤＢ１２０を検索することで、該当の商品販売・競売ページをブログ記事として掲載したブロガーのｅ−メールを探索し、このブロガーのｅ−メールに、該ブロガーが販売補償を受領できるように販売報償金をペイパルで転送したり、ブロガーが販売補償を請求するように案内文をｅ−メールや短文メッセージとして転送したりする。
【００４３】
スクラップ販売ＤＢ１４０は、ブログ記事として掲載された商品販売・競売ページで取引が完了した場合、販売完了した商品販売・競売ページのＵＲＬ、ブロガーのｅ−メール、注文日時、価格、ブログ販売報償金、販売補償処理の完了したか否かなどを保存する役割を果たす。
【００４４】
ブログ記事入力連係部１５０は、広報用ブログサイトに商品販売ページ及び競売ページを掲載するためにブログスクラップセールスモジュールと連係させ、ブログ記事生成・編集部３１を介して広報用ブログサイトに商品販売ページ及び競売ページを記事として掲載する役割を果たす。
【００４５】
ブログ記事入力連係部１５０は、広報用ブログシステム３０のブログ記事生成・編集部３１を呼び出すことで実行される。
【００４６】
そして、ブログ記事生成・編集部３１は、広報用ブログシステム３０を含む大部分のブログシステムに存在するもので、ブログスクラップセールスモジュールとの連係のために特別にソフトウェア的な変更を加える必要はなく、ブログ記事入力連係部１５０で各広報用ブログシステム３０に合わせて構成するようになる。
【００４７】
本発明に係る広報用ブログシステム３０は、ブログスクラップセールスモジュールを介してブログ記事としてスクラップされた特定商品販売ページ及び競売ページを、広報用ブログサイトに掲載して広報するもので、ブログ記事生成・編集部３１、ブログ記事ＤＢ３２、ブログ記事表示部３３などで構成されたブログシステムである。
【００４８】
ブログ記事生成・編集部３１は、ブログ記事を広報用ブログサイトに生成し、記事の内容を編集する役割を果たす。
【００４９】
ブログ記事ＤＢ３２は、広報用ブログシステムに記録された全ての記事を保存するもので、本発明の一実施例において、１つのブログ記事として生成されて編集された商品販売・競売ページのインターネットアドレスであるＵＲＬとブロガーの個人認識情報などのブログスクラップ関連情報をスクラップ件別に保存する役割を果たす。
【００５０】
ブログ記事表示部３３は、広報用ブログサイトに、ブログ記事生成・編集部３１を介してブログ記事ＤＢ３２に保存された記事を画面として表示する役割を果たし、本発明の一実施例において、１つのブログ記事として生成されて編集された特定商品販売・競売ページのＵＲＬをブログ記事として表示する役割を果たす。
【００５１】
次に、本発明では、電子商取引を運営する方式において、サイト方式では、単一販売者が運営するショッピングモールと多数の販売者が参加するオープンマーケットとに分類し、商品種類及び販売方法では、商品定価販売方法、商品競売販売方法及びコンテンツオンライン配送販売に分類する。オンライン音楽、映画、漫画、イメージ、ソフトウェア、ゲームなどのコンテンツ販売サイトも、サイト方式によってショッピングモールとオープンマーケットとに分類できる。
【００５２】
したがって、本発明に係るブログスクラップセールスモジュールの各構成要素は、ショッピングモール定価販売システムと連係して“ＳＲ（Ｓｈｏｐｐｉｎｇｍａｌｌ  Ｒｅｇｕｌａｒ）”タイプとされたり、ショッピングモール競売販売システムと連係して“ＳＡ（Ｓｈｏｐｐｉｎｇｍａｌｌ  Ａｕｃｔｉｏｎ）”タイプとされたり、オープンマーケット−定価販売システムと連係して“ＯＲ（Ｏｐｅｎｍａｒｋｅｔ  Ｒｅｇｕｌａｒ）”タイプとされたり、オープンマーケット競売販売システムと連係して“ＯＡ（Ｏｐｅｎ  ｍａｒｋｅｔ  Ａｕｃｔｉｏｎ）”タイプとされたり、ショッピングモールコンテンツオンライン配送販売システムと連係して“ＳＣ（Ｓｈｏｐｐｉｎｇｍａｌｌ  Ｃｏｎｔｅｎｔｓ）”タイプとされたり、オープンマーケットコンテンツオンライン配送販売システムと連係して“ＯＣ（Ｏｐｅｎｍａｒｋｅｔ  Ｃｏｎｔｅｎｔｓ）”タイプとされたりすることができる。
【００５３】
これを、表１に整理する。
【００５４】
【表１】
0005522553.tif 000002
【００５５】
図４は、本発明に係るインターネットショッピングモール定価販売システム（ＳＲタイプ）において、ブログスクラップセールスモジュールを介した商品販売方法を示すブロック図であり、図５は、本発明に係るインターネットショッピングモール定価販売システム（ＳＲタイプ）において、ブログスクラップセールスモジュールを介した商品販売方法を示すフローチャートである。
【００５６】
まず、ブログスクラップセールスモジュールが構成されたインターネットショッピングモール定価販売システム（ＳＲタイプ）に、商品情報及びブログ販売補償情報を登録する（Ｓ１００）。
【００５７】
すなわち、インターネットショッピングモール事業者が、ブログスクラップセールス機能が支援されるインターネットショッピングモールに、商品の品目、金額、商品説明などの商品情報を載せ、ブログスクラップセールスに対する代行販売補償に関する情報を入力する。
【００５８】
そして、商品情報と代行販売補償情報は、インターネットショッピングモールサイトにおいて電子商取引機能がプログラムされた商品販売ページとして一般人に露出される。
【００５９】
続いて、ブログスクラップセールスモジュールの制御の下に、インターネットショッピングモール定価販売システム（“ＳＲ”タイプ）に登録された商品情報及びブログ販売補償情報をチェックした後、該当の商品の販売ページをブログの記事として掲載し、このブログ記事の掲載者ｅ−メール、ブログ記事の掲載日、販売ページの掲載位置を、ＳＲ用スクラップＤＢ１２０に保存する（Ｓ１１０）。
【００６０】
すなわち、ブロガーは、インターネットショッピングモール定価販売サイトの商品販売ページに登録された商品情報とブログスクラップセールスに対する販売代行補償情報を確認する。
【００６１】
そして、ブログに記事としてスクラップするようにあらかじめ用意されているボタンなどのユーザーインターフェースを用いて、商品販売ページを、適切な接近権限のあるブログの記事として掲載する。
【００６２】
この時、ボタンに連係しているスクラップ処理部は、ブロガーを認識できるようなｅ−メールアドレス、または、携帯電話番号などの個人認識情報を受信し、ＢＳＳ（Ｂｌｏｇ  Ｓｃｒａｐ  Ｓａｌｅｓ）管理サーバーに、ブログＵＲＬまたは商品販売ページが収録された記事のＵＲＬ情報と一緒に保存する。
【００６３】
次に、ブログに掲載された商品販売ページの一側に構成されたスクラップボタンを用いて所望の広報用ブログサイトの記事として商品販売ページを複製し、ブログスクラップ行為者のｅ−メール、ブログスクラップ日、ブログスクラップ位置をＳＲ用スクラップＤＢ１２０に保存して、ブログを伝播させる（Ｓ１２０）。
【００６４】
すなわち、ブログ記事入力連係部を介して所望の広報用ブログサイトのブログ記事生成・編集部に商品販売ページのＵＲＬが転送されてブログの記事として登録され、商品販売ページがブログ記事に含まれて表示される。
【００６５】
また、第三のブロガーが、ブログに掲載されている商品販売ページを確認し、登録された商品情報とブログセールスに対する販売代行補償情報を確認する。
【００６６】
そして、ブログに記事としてスクラップするようにあらかじめ用意しておいたボタンなどのユーザーインターフェースを用いて、商品販売ページを、適切な接近権限のあるブログの記事として掲載する。
【００６７】
このような方法により、インターネット空間に露出された商品販売ページは、多数のブロガーによって多数のブログサイトに伝播されて行く。
【００６８】
そして、商品販売ページがブログに掲載される度に、掲載するブロガーの個人認識情報がＢＳＳモジュールのＳＲ用スクラップＤＢに共に保存されるので、いずれのブログに誰が掲載したか追跡でき、よって、この個人認識情報を用いて、ブログに掲載された商品販売ページで取引が発生した場合に販売補償受益者を確認することができる。
【００６９】
続いて、広報用ブログサイトに記事として掲載された商品販売ページの一側に構成された注文ボタンに連係しているプログラムによって該当の商品に関する注文情報を保存すると同時に、注文商品のページＵＲＬ、注文日時、価格、ブログ販売補償情報をＳＲ用スクラップ販売ＤＢに保存し、注文商品を宛先に配送する（Ｓ１３０）。
【００７０】
すなわち、商品購買者がブログ記事として掲載された商品販売ページを閲覧し、一側に構成された注文ボタンを用いて商品注文をすると、注文ボタンに連係しているＳＲ用商品販売処理部が、該当の商品に関する注文情報を保存すると同時に、注文された商品が宛先に配送されるように配送用端末機に注文データを転送する。
【００７１】
そして、ブログにおいて商品購買者が電子商取引機能のプログラムされた注文ボタンを用いて商品を購買すると、ショッピングモールシステムの商品販売処理部は、固有取引番号を与え、販売日時、品目、金額などの販売情報を、ブログＵＲＬアドレス（または、商品販売ページが収録された記事のＵＲＬアドレス）と一緒にＳＲ用取引ＤＢに保存する。
【００７２】
そして、ＳＲ用取引ＤＢ中の注文された商品と、インターネットショッピングモールシステムの商品ＤＢを検索し、注文数量分を宛先に配送するようとの注文を配送用端末機に転送し、配送担当者は注文商品を配送する。
【００７３】
次に、ブログスクラップセールスモジュールの販売補償処理部を介して商品購買及びブログ販売による購買決済及び配送が完了したか否かをチェックし、ブログスクラップ行為者のｅ−メールに販売補償請求情報を送信したり、ブログ販売報償金をペイパルを用いて送ったり、販売補償請求に関する案内を転送する（Ｓ１４０）。
【００７４】
すなわち、商品配送の完了が確認されると、提携販売連係部１１を介してブログスクラップセールスモジュールの販売補償処理部を制御し、商品販売ページをブログに掲載したブロガーへの販売補償処理を行う。
【００７５】
本発明に係る販売補償処理部は、取引の完了後に、当該取引の固有番号、商品販売ページＵＲＬ及び注文日時を提携販売連係部１１を介して受信し、商品販売ページＵＲＬをスクラップＤＢから検索して、ブログ記事として掲載した行為者のｅ−メールを探し、そのｅ−メールにブログ販売報償金請求案内文を送信したり、ペイパルでブログ販売報償金を送ったりする。
【００７６】
ここで、ブログ販売報償金は、ペイパルの他、振込み、サイバーマネーで該当のブロガーに支払うこともでき、あらかじめ定められた商品やサービスで支払うこともできる。
【００７７】
また、販売補償に用いられたブロガーのｅ−メール、報償金の支払われたか否か、支払日時、支払方法、ブログに記事として掲載された販売ページのＵＲＬ、取引固有番号などは、スクラップ販売ＤＢに記録して保存する。
【００７８】
［インターネットショッピングモール競売販売システム（ＳＡタイプ）：ブログスクラップセールス過程］
図６は、本発明に係るインターネットショッピングモール競売販売システム（ＳＡタイプ）においてブログスクラップセールスモジュールを介した商品販売方法を示すブロック図であり、図７は、本発明に係るインターネットショッピングモール競売販売システム（ＳＡタイプ）においてブログスクラップセールスモジュールを介した商品販売方法を示すフローチャートである。
【００７９】
まず、ブログスクラップセールスモジュールが構成されたインターネットショッピングモール競売販売システム（ＳＡタイプ）に、商品情報及びブログ販売補償情報を登録する（Ｓ２００）。
【００８０】
すなわち、ブログスクラップセールス機能の支援されるインターネットショッピングモール競売サイトに、競売商品の品目、競売金額、競売商品説明などの競売商品情報を載せ、ブログスクラップセールスに対する代行販売補償に関する情報を入力する。
【００８１】
そして、競売商品情報と代行販売補償情報は、インターネットショッピングモール競売サイトにおいて電子商取引機能のプログラムされた商品競売ページとして一般人に露出される。
【００８２】
続いて、ブログスクラップセールスモジュールの制御の下に、インターネットショッピングモール競売販売システム（“ＳＡ”タイプ）に登録された商品情報及びブログ販売補償情報をチェックした後、該当の商品の競売ページをブログの記事として掲載し、当該ブログ記事掲載者のｅ−メール、ブログ記事の掲載日、競売ページの掲載位置を、ＳＡ用スクラップＤＢ１２０に保存する（Ｓ２１０）。
【００８３】
すなわち、ブロガーは、インターネットショッピングモール競売サイトの競売商品販売ページに登録された競売商品情報とブログスクラップセールスに対する販売代行補償情報を確認する。
【００８４】
そして、ブログに記事としてスクラップするようにあらかじめ用意されているボタンなどのユーザーインターフェースを用いて、競売商品販売ページを、適切な接近権限のあるブログの記事として掲載する。
【００８５】
この時、ボタンに連係しているスクラップ処理部は、ブロガーを認識できるようなｅ−メールアドレス、または、携帯電話番号などの個人認識情報を受信し、これをブログＵＲＬまたは競売商品販売ページが収録された記事のＵＲＬ情報と一緒に、ＢＳＳ管理サーバーに保存する。
【００８６】
次に、ブログに掲載された商品競売ページの一側に構成されたスクラップボタンを用いて、所望の広報用ブログサイトの記事として商品競売ページを複製し、ブログスクラップ行為者のｅ−メール、ブログスクラップ日、ブログスクラップ位置をＳＡ用スクラップＤＢ１２０に保存してブログを伝播させる（Ｓ２２０）。
【００８７】
すなわち、ブログ記事入力連係部を介して所望の広報用ブログサイトのブログ記事生成／編集部に競売商品販売ページのＵＲＬが転送されてブログの記事として登録され、競売商品販売ページがブログ記事に含まれて表示される。
【００８８】
また、第三のブロガーが、ブログに掲載された競売商品販売ページを確認し、第三のブロガーが、登録された商品情報及びブログセールスに対する販売代行補償情報を確認する。
【００８９】
そして、ブログに記事としてスクラップするようにあらかじめ用意されているボタンなどのユーザーインターフェースを用いて、競売商品販売ページを、適切な接近権限のあるブログの記事として掲載する。
【００９０】
このような方法により、インターネット空間に露出された競売商品販売ページは、多数のブロガーにより多数のブログに伝播されて行く。
【００９１】
そして、競売商品販売ページがブログに掲載される度に、掲載するブロガーの個人認識情報がＢＳＳモジュールのＳＡ用スクラップＤＢに共に保存されるので、いずれのブログに誰が掲載をしたか追跡することができ、この個人認識情報を用いて、ブログに掲載された競売商品販売ページで取引が発生した場合に販売補償受益者を確認することができる。
【００９２】
次いで、広報用ブログサイトに記事として掲載された商品競売ページの一側に構成された入札ボタンを用いて入札すると、連係しているプログラムによって、最高価を基準にして有効な入札者から落札者を選定し、該当の商品に関する落札情報を保存すると同時に、落札商品の競売ページＵＲＬ、落札日時、価格、ブログ販売補償情報をＳＡ用スクラップ販売ＤＢに保存し、落札商品を宛先に配送する（Ｓ２３０）。
【００９３】
すなわち、広報用ブログサイトの競売商品販売ページの一側に構成された入札ボタンを用いて該当の商品に対する入札をすると、入札ボタンに連係しているＳＡ用商品販売処理部が、該当の商品に関する入札情報（入札された商品のページＩＤ、入札日時、価格、ブログ販売報償金）を保存すると同時に、落札された商品が宛先に配送されるように、配送用端末機に落札データを転送する。
【００９４】
すなわち、ブログにおいて商品購買者が、競売機能のプログラムされた入札ボタンを用いて商品競売に入札すると、インターネットショッピングモールシステムは、最高価を基準にして有効な入札者から落札者を選定し、固有競売番号、落札日時、品目、金額などの落札情報を、ブログＵＲＬアドレス（または、ウェブコンテンツが収録された記事のＵＲＬアドレス）と一緒にＳＡ用取引ＤＢに保存する。
【００９５】
そして、ＳＡ用取引ＤＢ中の注文された商品と、インターネットショッピングモールシステムの商品ＤＢを検索し、注文数量分を宛先に配送するようとの注文を配送用端末機に転送し、配送担当者は注文商品を配送する。
【００９６】
続いて、ブログスクラップセールスモジュールの制御部を介して商品購買及びブログ販売による購買決済及び配送が完了したか否かをチェックし、ブログスクラップ行為者のｅ−メール宛に販売補償請求情報を送信したり、ブログスクラップ行為者に、ブログ販売報償金をペイパルを用いて送ったり、販売補償請求に関する案内を転送したりする（Ｓ２４０）。
【００９７】
すなわち、商品配送の完了が確認されると、提携販売連係部１１を介してブログスクラップセールスモジュールの販売補償処理部を制御し、競売商品販売ページをブログに掲載したブロガーへの販売補償処理を行う。
【００９８】
本発明に係る販売補償処理部は、取引の完了後に、当該取引の固有番号、競売商品販売ページＵＲＬ及び注文日時を提携販売連係部１１を介して受信し、商品販売ページＵＲＬをスクラップＤＢから検索して、ブログ記事として掲載した行為者のｅ−メールを探し、そのｅ−メールにブログ販売報償金請求案内文を送信したり、ペイパルでブログ販売報償金を送ったりする。
【００９９】
ここで、ブログ販売報償金は、ペイパルの他に、振込み、サイバーマネーにより該当のブロガーに支払うこともでき、あらかじめ定められた商品やサービスで支払うこともできる。
【０１００】
また、販売補償に用いられたブロガーｅ−メール、報償金の支払われたか否か、支払日時、支払方法、ブログに記事掲載された販売ページＵＲＬ、取引固有番号などは、スクラップ販売ＤＢに記録して保存する。
【０１０１】
［オープンマーケット定価販売システム（ＯＲタイプ）：ブログスクラップセールス過程］
図８は、本発明に係るオープンマーケット定価販売システム（ＯＲタイプ）においてブログスクラップセールスモジュールを介した商品販売方法を示すブロック図であり、図９は、本発明に係るオープンマーケット定価販売システム（ＯＲタイプ）においてブログスクラップセールスモジュールを介した商品販売方法を示すフローチャートである。
【０１０２】
まず、ブログスクラップセールスモジュールの構成されたオープンマーケット定価販売システム（ＯＲタイプ）に、商品情報及びブログ販売補償情報を登録する（Ｓ３００）。
【０１０３】
すなわち、ブログスクラップセールス機能の支援されるオープンマーケット定価販売サイトに、商品の品目、金額、商品説明などの商品情報を載せ、ブログスクラップセールスに対する代行販売補償に関する情報を入力する。
【０１０４】
そして、商品情報及び代行販売補償情報は、オープンマーケット定価販売サイトで電子商取引機能のプログラムされた商品販売ページとして一般人に露出される。
【０１０５】
次いで、ブログスクラップセールスモジュールの制御の下に、オープンマーケット定価販売システム（“ＯＲ”タイプ）に登録された商品情報及びブログ販売補償情報をチェックした後、該当の商品の販売ページをブログの記事として掲載し、当該ブログ記事掲載者のｅ−メール、ブログ記事の掲載日、販売ページの掲載位置を、ＯＲ用スクラップＤＢ１２０に保存する（Ｓ３１０）。
【０１０６】
すなわち、ブロガーは、オープンマーケット定価販売サイトの商品販売ページに登録された商品情報及びブログスクラップセールスに対する販売代行補償情報を確認する。
【０１０７】
そして、ブログに記事としてスクラップするようにあらかじめ用意されているボタンなどのユーザーインターフェースを用いて、商品販売ページを、適切な接近権限のあるブログの記事として掲載する。
【０１０８】
この時、ボタンに連係しているスクラップ処理部は、ブロガーを認識できるようなｅ−メールアドレス、または、携帯電話番号などの個人認識情報を受信し、これを、ブログＵＲＬまたは商品販売ページが収録された記事のＵＲＬ情報と一緒にＢＳＳ管理サーバーに保存する。
【０１０９】
続いて、ブログに掲載された商品販売ページの一側に構成されたスクラップボタンを用いて所望の広報用ブログサイトの記事として商品販売ページを複製し、ブログスクラップ行為者のｅ−メール、ブログスクラップ日、ブログスクラップ位置をＯＲ用スクラップＤＢ１２０に保存してブログを伝播させる（Ｓ３２０）。
【０１１０】
すなわち、ブログ記事入力連係部を介して所望の広報用ブログサイトのブログ記事生成・編集部に商品販売ページのＵＲＬが転送されてブログの記事として登録され、商品販売ページがブログ記事に含まれて表示される。
【０１１１】
また、第三のブロガーが、ブログに掲載された商品販売ページを確認し、第三のブロガーが、登録された商品情報及びブログセールスに対する販売代行補償情報を確認する。
【０１１２】
そして、ブログに記事としてスクラップするようにあらかじめ用意されているボタンなどのユーザーインターフェースを用いて、商品販売ページを、適切な接近権限のあるブログの記事として掲載する。
【０１１３】
このような方法により、インターネット空間に露出された商品販売ページは、多数のブロガーによって多数のブログに伝播されて行く。
【０１１４】
そして、商品販売ページがブログに掲載される度に、掲載するブロガーの個人認識情報がＢＳＳモジュールのＯＲ用スクラップＤＢに共に保存されるので、いずれのブログに誰が掲載をしたかを追跡することができ、この個人認識情報を用いて、ブログに掲載された商品販売ページで取引が発生した場合に販売補償受益者を確認することができる。
【０１１５】
続いて、広報用ブログサイトに記事として掲載された商品販売ページの一側に構成された注文ボタンに連係しているプログラムを用いて該当の商品に関する注文情報を保存すると同時に、注文商品のページＵＲＬ、注文日時、価格、ブログ販売補償情報をＯＲ用スクラップ販売ＤＢに保存し、注文商品が宛先に配送されるように販売者に注文データを転送する（Ｓ３３０）。
【０１１６】
すなわち、ブログにおいて商品購買者が電子商取引機能のプログラムされた注文ボタンを用いて商品を購買すると、オープンマーケットシステムの商品販売処理部は、固有取引番号を与え、販売日時、品目、金額などの販売情報をブログＵＲＬアドレス（または、商品販売ページが収録された記事のＵＲＬアドレス）と一緒に、ＯＲ用取引ＤＢに保存する。
【０１１７】
そして、ＯＲ用取引ＤＢ中の注文された商品と、オープンマーケットシステムの商品ＤＢを検索し、該当の商品を宛先に配送するようとの注文を配送用端末機に転送し、オープンマーケットに該当の商品を登録した販売者は注文商品を配送する。
【０１１８】
続いて、ブログスクラップセールスモジュールの販売補償処理部を介して商品購買及びブログ販売による購買決済及び配送が完了したか否かをチェックし、ブログスクラップ行為者のｅ−メール宛に販売補償請求情報を送信したり、ブログスクラップ行為者に、ブログ販売報償金をペイパルを用いて送ったり、販売補償請求に関する案内を転送したりする（Ｓ３４０）。
【０１１９】
すなわち、商品配送の完了が確認されると、提携販売連係部１１を介してブログスクラップセールスモジュールの販売補償処理部を制御し、商品販売ページをブログに掲載したブロガーへの販売補償処理を行う。
【０１２０】
本発明に係る販売補償処理部は、取引の完了後に、当該取引の固有番号、商品販売ページＵＲＬ及び注文日時を提携販売連係部１１を介して受信し、商品販売ページＵＲＬをスクラップＤＢから検索してブログ記事として掲載した行為者のｅ−メールを探し、そのｅ−メールに、ブログ販売報償金請求案内文を送信したり、ペイパルでブログ販売報償金を送ったりする。
【０１２１】
ここで、ブログ販売報償金は、ペイパルの他、振込み、サイバーマネーで該当のブロガーに支払うこともでき、あらかじめ定められた商品やサービスで支払うこともできる。
【０１２２】
また、販売補償に用いられたブロガーのｅ−メール、報償金の支払われたか否か、支払日時、支払方法、ブログに記事掲載された販売ページＵＲＬ、取引固有番号などは、スクラップ販売ＤＢに記録して保存する。
【０１２３】
販売者には、商品販売金額から、ブログスクラップセールス販売報償金とオープンマーケットシステムの使用による各種手数料及び費用を除いた金額を、送金する。
【０１２４】
［オープンマーケット競売販売システム（ＯＡタイプ）：ブログスクラップセールス過程］
図１０は、本発明に係るオープンマーケット競売販売システムにおいてブログスクラップセールスモジュールを介した商品販売方法を示すブロック図であり、図１１は、本発明に係るオープンマーケット競売販売システムにおいてブログスクラップセールスモジュールを介した商品販売方法を示すフローチャートである。
【０１２５】
まず、ブログスクラップセールスモジュールが構成されたオープンマーケット競売販売システム（ＯＡタイプ）に商品情報及びブログ販売補償情報を登録する（Ｓ４００）。
【０１２６】
すなわち、ブログスクラップセールス機能が支援されるオープンマーケット競売サイトに、競売商品の品目、競売金額、競売商品説明などの競売商品情報を載せ、ブログスクラップセールスに対する代行販売補償に関する情報を入力する。
【０１２７】
そして、競売商品情報及び代行販売補償情報は、オープンマーケット競売サイトで電子商取引機能のプログラムされた商品競売ページとして一般人に露出される。
【０１２８】
続いて、ブログスクラップセールスモジュールの制御の下に、オープンマーケット競売販売システム（”ＯＡ”タイプ）に登録された商品情報及びブログ販売補償情報をチェックした後、該当の商品の競売ページをブログの記事として掲載し、そのブログ記事掲載者のｅ−メール、ブログ記事の掲載日、競売ページの掲載位置（ＵＲＬ）を、ＯＡ用スクラップＤＢ１２０に保存してブログを掲載する（Ｓ４１０）。
【０１２９】
すなわち、ブロガーは、オープンマーケット競売サイトの競売商品販売ページに登録された競売商品情報とブログスクラップセールスに対する販売代行補償情報を確認する。
【０１３０】
そして、ブログに記事としてスクラップするようにあらかじめ用意されているボタンなどのユーザーインターフェースを用いて、競売商品販売ページを、適切な接近権限のあるブログの記事として掲載する。
【０１３１】
この時、ボタンに連係しているスクラップ処理部は、ブロガーを認識できるようなｅ−メールアドレス、または、携帯電話番号などの個人認識情報を受信し、これを、ブログＵＲＬまたは競売商品販売ページが収録された記事のＵＲＬ情報と一緒にＢＳＳ管理サーバーに保存する。
【０１３２】
続いて、ブログに掲載された商品競売ページの一側に構成されたスクラップボタンを用いて、所望の広報用ブログサイトの記事として商品競売ページを複製し、ブログスクラップ行為者のｅ−メール、ブログスクラップ日、ブログスクラップ位置をＯＡ用スクラップＤＢ１２０に保存してブログを伝播させる（Ｓ４２０）。
【０１３３】
すなわち、ブログ記事入力連係部を介して所望の広報用ブログサイトのブログ記事生成・編集部に競売商品販売ページのＵＲＬが転送されてブログの記事として登録され、競売商品販売ページがブログ記事に含まれて表示される。
【０１３４】
また、第三のブロガーが、ブログに掲載された競売商品販売ページを確認し、第三のブロガーが、登録された商品情報とブログセールスに対する販売代行補償情報を確認する。
【０１３５】
そして、ブログに記事としてスクラップするようにあらかじめ用意されているボタンなどのユーザーインターフェースを用いて、競売商品販売ページを、適切な接近権限のあるブログの記事として掲載する。
【０１３６】
このような方法により、インターネット空間に露出された競売商品販売ページは、多数のブロガーによって多数のブログに伝播されて行く。
【０１３７】
そして、競売商品販売ページがブログに掲載される度に、掲載するブロガーの個人認識情報がＢＳＳモジュールのＯＡ用スクラップＤＢに共に保存されるので、いずれのブログに誰が掲載をしたか追跡でき、この個人認識情報を用いて、ブログに掲載された競売商品販売ページで取引が発生した場合に販売補償受益者を確認することができる。
【０１３８】
続いて、広報用ブログサイトに記事として掲載された商品競売ページの一側に構成された入札ボタンを用いて入札すると、連係しているプログラムによって、最高価を基準にして有効な入札者から落札者を選定し、該当の商品に関する落札情報を保存すると同時に、落札商品の競売ページＵＲＬ、落札日時、価格、ブログ販売補償情報をＯＡ用スクラップ販売ＤＢに保存し、落札商品が宛先に配送されるように販売者に注文データを転送する（Ｓ４３０）
すなわち、ブログにおいて商品購買者が競売機能のプログラムされた入札ボタンを用いて商品競売に入札すると、オープンマーケットシステムは、最高価を基準にして有効な入札者から落札者を選定し、固有競売番号、落札日時、品目、金額などの落札情報をブログＵＲＬアドレス（または、ウェブコンテンツが収録された記事のＵＲＬアドレス）と一緒に、ＯＡ用取引ＤＢに保存する。
【０１３９】
そして、ＯＡ用取引ＤＢ中の注文された商品と、インターネットショッピングモールシステムの商品ＤＢを検索し、該当の商品を宛先に配送するようとの注文を配送用端末機に転送し、オープンマーケットに該当の商品を登録した販売者は、落札商品を配送する。
【０１４０】
続いて、ブログスクラップセールスモジュールの販売補償処理部を介して商品購買及びブログ販売による購買決済及び配送が完了したか否かをチェックし、ブログスクラップ行為者のｅ−メール宛に販売補償請求情報を送信したり、ブログスクラップ行為者に、ブログ販売報償金をペイパルを用いて送ったり、販売補償請求に関する案内を転送したりする（Ｓ４４０）。
【０１４１】
すなわち、商品配送の完了が確認されると、提携販売連係部１１を介してブログスクラップセールスモジュールの販売補償処理部を制御し、競売商品販売ページをブログに掲載したブロガーへの販売補償処理を行う。
【０１４２】
本発明に係る販売補償処理部は、取引の完了後に、当該取引の固有番号、競売商品販売ページＵＲＬ及び注文日時を提携販売連係部１１を介して受信し、商品販売ページＵＲＬをスクラップＤＢから検索して、ブログ記事として掲載した行為者のｅ−メールを探し、そのｅ−メールに、ブログ販売報償金請求案内文を送信したり、ブログ行為者に、ペイパルでブログ販売報償金を送ったりする。
【０１４３】
ここで、ブログ販売報償金は、ペイパルの他、振込み、サイバーマネーで該当のブロガーに支払うこともでき、あらかじめ定められた商品やサービスで支払うこともできる。
【０１４４】
また、販売補償に用いられたブロガーｅ−メール、報償金の支払われたか否か、支払日時、支払方法、ブログに記事掲載された販売ページＵＲＬ、取引固有番号などは、スクラップ販売ＤＢに記録して保存する。
【０１４５】
販売者には、商品落札金額から、ブログスクラップセール販売報償金とオープンマーケットシステムの使用による各種の手数料及び費用を除いた金額を、送金する。
【０１４６】
［インターネットショッピングモールコンテンツオンライン配送販売システム（ＳＣタイプ）：ブログスクラップセールス過程］
図１２は、本発明に係るショッピングモールコンテンツオンライン配送販売システム（ＳＣタイプ）においてブログスクラップセールスモジュールを介した商品販売方法を示すブロック図であり、図１３は、本発明に係るショッピングモールコンテンツオンライン配送販売システム（ＳＣタイプ）においてブログスクラップセールスモジュールを介した商品販売方法を示すフローチャートである。
【０１４７】
まず、ブログスクラップセールスモジュールが構成されたショッピングモールコンテンツオンライン配送販売システム（ＳＣタイプ）に、販売しようとする音楽、映画、動映像、イメージ、漫画、ソフトウェア、ゲームなどのデジタルコンテンツファイル、コンテンツ商品情報及びブログ販売補償情報を登録する（Ｓ５００）。
【０１４８】
すなわち、デジタルコンテンツ販売事業者が、ブログスクラップセールス機能の支援されるコンテンツ販売サイトに、コンテンツ品目、金額、コンテンツ説明などのコンテンツ商品情報を載せ、ブログスクラップセールスに対する代行販売補償に関する情報を入力する。
【０１４９】
そして、コンテンツ商品情報及び代行販売補償情報は、インターネットショッピングモールサイトにおいて、電子商取引機能のプログラムされたウェブコンテンツとして一般人に露出される。
【０１５０】
続いて、ブログスクラップセールスモジュールの制御の下に、インターネットコンテンツオンライン配送販売システム（“ＳＣ”タイプ）に登録されたコンテンツ情報及びブログ販売補償情報をチェックした後、該当のコンテンツの販売ページをブログの記事として掲載し、当該ブログ記事掲載者のｅ−メール、ブログ記事の掲載日、販売ページの掲載位置をＳＣ用スクラップＤＢ１２０に保存する（Ｓ５１０）。
【０１５１】
すなわち、ブロガーは、コンテンツ販売サイトの商品販売ページに登録されたコンテンツ商品情報及びブログスクラップセールスに対する販売代行補償情報を確認する。
【０１５２】
そして、ブログに記事としてスクラップするようにあらかじめ用意されているボタンなどのユーザーインターフェースを用いて、コンテンツ販売ページを、適切な接近権限のあるブログの記事として掲載する。
【０１５３】
この時、ボタンに連係しているスクラップ処理部は、ブロガーを認識できるようなｅ−メールアドレス、または、携帯電話番号などの個人認識情報を受信し、これを、ブログＵＲＬまたはコンテンツ販売ページが収録された記事のＵＲＬ情報と一緒に、ＢＳＳ管理サーバーに保存する。
【０１５４】
続いて、ブログに掲載されたコンテンツ販売ページの一側に構成されたスクラップボタンを用いて、所望の広報用ブログサイトの記事としてコンテンツ販売ページを複製し、ブログスクラップ行為者のｅ−メール、ブログスクラップ日、ブログスクラップ位置をＳＣ用スクラップＤＢ１２０に保存してブログ空間に伝播させる（Ｓ５２０）。
【０１５５】
すなわち、ブログ記事入力連係部を介して所望の広報用ブログサイトのブログ記事生成・編集部にコンテンツ商品販売ページのＵＲＬが転送されてブログの記事として登録され、コンテンツ販売ページがブログ記事に含まれて表示される。
【０１５６】
また、第三のブロガーが、ブログに掲載されたコンテンツ販売ページを確認し、第三のブロガーが、登録されたコンテンツ商品情報及びブログセールスに対する販売代行補償情報を確認する。
【０１５７】
そして、ブログに記事としてスクラップするようにあらかじめ用意されているボタンなどのユーザーインターフェースを用いて、コンテンツ販売ページを、適切な接近権限のあるブログの記事として掲載する。
【０１５８】
このような方法により、インターネット空間に露出されたコンテンツ販売ページは、多数のブロガーによって多数のブログに伝播されて行く。
【０１５９】
そして、コンテンツ販売ページがブログに掲載される度に、掲載するブロガーの個人認識情報がＢＳＳモジュールのＳＣ用スクラップＤＢに共に保存されるので、いずれのブログに誰が掲載をしたか追跡でき、この個人認識情報を用いて、ブログに掲載されたコンテンツ販売ページで取引が発生した場合に販売補償受益者を確認することができる。
【０１６０】
続いて、広報用ブログサイトに記事として掲載されたコンテンツ販売ページの一側に構成された注文ボタンに連係しているプログラムを用いて、該当のコンテンツに関する注文情報を保存すると同時に、注文コンテンツ商品のページＵＲＬ、注文日時、価格、ブログ販売補償情報をＳＲ用スクラップ販売ＤＢに保存し、該当のコンテンツを含むファイルをダウンロードしたり、コンテンツをオンラインで照会、再生または設置したりすることで注文者に提供する（Ｓ５３０）。
【０１６１】
すなわち、ブログにおいてコンテンツ購買者が電子商取引機能のプログラムされた注文ボタンを用いてコンテンツを購買すると、ショッピングモールシステムの商品販売処理部は、固有取引番号を与え、販売日時、品目、金額などの販売情報をブログＵＲＬアドレス（または、コンテンツ販売ページが収録された記事のＵＲＬアドレス）と一緒にＳＣ用取引ＤＢに保存する。
【０１６２】
そして、ＳＣ用取引ＤＢ中の注文されたコンテンツ商品と、ショッピングモールシステムの商品ＤＢを検索し、該当のコンテンツを含むファイルをダウンロードしたり、コンテンツをオンラインで照会、再生または設置することによって注文者に提供する。
【０１６３】
続いて、ブログスクラップセールスモジュールの販売補償処理部を介して商品購買及びブログ販売による購買決済及び配送が完了したか否かをチェックし、ブログスクラップ行為者のｅ−メール宛に販売補償請求情報を送信したり、ブログスクラップ行為者に、ブログ販売報償金をペイパルを用いて送ったり、販売補償請求に関する案内を転送したりする（Ｓ５４０）。
【０１６４】
すなわち、コンテンツ提供の完了が確認されると、提携販売連係部１１を介してブログスクラップセールスモジュールの販売補償処理部を制御して、コンテンツ販売ページをブログに掲載したブロガーへの販売補償処理を行う。
【０１６５】
本発明に係る販売補償処理部は、取引の完了後に、当該取引の固有番号、コンテンツ販売ページＵＲＬ及び注文日時を提携販売連係部１１を介して受信し、コンテンツ販売ページＵＲＬをスクラップＤＢから検索して、ブログ記事として掲載した行為者のｅ−メールを探し、そのｅ−メールに、ブログ販売報償金請求案内文を送信したり、ペイパルでブログ販売報償金を送ったりする。
【０１６６】
ここで、ブログ販売報償金は、ペイパルの他、振込み、サイバーマネーで該当のブロガーに支払うこともでき、あらかじめ定められた商品やサービスで支払うこともできる。
【０１６７】
また、販売補償に用いられたブロガーｅ−メール、報償金の支払われたか否か、支払日時、支払方法、ブログに記事掲載された販売ページＵＲＬ、取引固有番号などは、スクラップ販売ＤＢに記録して保存する。
【０１６８】
［オープンマーケットコンテンツオンライン配送販売システム（ＯＣタイプ）：ブログスクラップセールス過程］
図１４は、本発明に係るオープンマーケットコンテンツオンライン配送販売システム（ＯＣタイプ）においてブログスクラップセールスモジュールを介した商品販売方法を示すブロック図であり、図１５は、本発明に係るオープンマーケットコンテンツオンライン配送販売システム（ＯＣタイプ）においてブログスクラップセールスモジュールを介した商品販売方法を示すフローチャートである。
【０１６９】
まず、ブログスクラップセールスモジュールが構成されたオープンマーケットコンテンツオンライン配送販売システム（ＯＣタイプ）に、販売しようとする音楽、映画、動映像、イメージ、漫画、ソフトウェア、ゲームなどのデジタルコンテンツファイル、コンテンツ商品情報及びブログ販売補償情報を登録する（Ｓ６００）。
【０１７０】
すなわち、ブログスクラップセールス機能の支援されるオープンマーケットオンライン配送販売サイトに、商品の品目、金額、商品説明などの商品情報を載せ、ブログスクラップセールスに対する代行販売補償に関する情報を入力する。
【０１７１】
そして、商品情報及び代行販売補償情報は、オープンマーケットオンライン配送販売サイトにおいて、電子商取引機能のプログラムされたコンテンツ販売ページとして一般人に露出される。
【０１７２】
続いて、ブログスクラップセールスモジュールの制御の下に、オープンマーケットコンテンツオンライン配送販売システム（“ＯＣ”タイプ）に登録されたコンテンツ商品情報及びブログ販売補償情報をチェックした後、該当コンテンツの販売ページをブログの記事として掲載し、そのブログ記事掲載者のｅ−メール、ブログ記事の掲載日、販売ページの掲載位置をＯＣ用スクラップＤＢ１２０に保存してブログを掲載する（Ｓ６１０）。
【０１７３】
すなわち、ブロガーは、オープンマーケットコンテンツオンライン配送販売サイトのコンテンツ販売ページに登録されたコンテンツ商品情報及びブログスクラップセールスに対する販売代行補償情報を確認する。
【０１７４】
そして、ブログに記事としてスクラップするようにあらかじめ用意されているボタンなどのユーザーインターフェースを用いて、コンテンツ販売ページを、適切な接近権限のあるブログの記事として掲載する。
【０１７５】
この時、ボタンに連係しているスクラップ処理部は、ブロガーを認識できるようなｅ−メールアドレス、または、携帯電話番号などの個人認識情報を受信し、これを、ブログＵＲＬまたはコンテンツ販売ページが収録された記事のＵＲＬ情報と一緒に、ＢＳＳ管理サーバーに保存する。
【０１７６】
続いて、ブログに掲載されたコンテンツ販売ページの一側に構成されたスクラップボタンを用いて、所望の広報用ブログサイトの記事としてコンテンツ販売ページを複製し、ブログスクラップ行為者のｅ−メール、ブログスクラップ日、ブログスクラップ位置をＯＣ用スクラップＤＢ１２０に保存してブログを伝播させる（Ｓ６２０）。
【０１７７】
すなわち、ブログ記事入力連係部を介して所望の広報用ブログサイトのブログ記事生成・編集部にコンテンツ販売ページのＵＲＬが転送されてブログの記事として登録され、コンテンツ販売ページがブログ記事に含まれて表示される。
【０１７８】
また、第三のブロガーが、ブログに掲載されたコンテンツ販売ページを確認し、第三のブロガーが、登録されたコンテンツ商品情報及びブログセールスに対する販売代行補償情報を確認する。
【０１７９】
そして、ブログに記事としてスクラップするようにあらかじめ用意されているボタンなどのユーザーインターフェースを用いて、コンテンツ販売ページを適切な接近権限のあるブログの記事として掲載する。
【０１８０】
このような方法により、インターネット空間に露出されたコンテンツ販売ページは、多数のブロガーによって多数のブログに伝播されて行く。
【０１８１】
そして、コンテンツ販売ページがブログに掲載される度に、掲載するブロガーの個人認識情報がＢＳＳモジュールのＯＣ用スクラップＤＢに共に保存されるので、いずれのブログに誰が掲載をしたか追跡でき、この個人認識情報を用いて、ブログに掲載されたコンテンツ販売ページで取引が発生した場合に販売補償受益者を確認することができる。
【０１８２】
続いて、広報用ブログサイトに記事として掲載されたコンテンツ販売ページの一側に構成された注文ボタンに連係しているプログラムを用いて該当のコンテンツ商品に関する注文情報を保存すると同時に、注文商品のページＵＲＬ、注文日時、価格、ブログ販売補償情報をＯＣ用スクラップ販売ＤＢに保存し、該当のコンテンツを含むファイルをダウンロードしたり、コンテンツをオンラインで照会、再生または設置したりすることで注文者に提供する（Ｓ６３０）。
【０１８３】
すなわち、ブログにおいてコンテンツ購買者が電子商取引機能のプログラムされた注文ボタンを用いてコンテンツを購買すると、オープンマーケットシステムの商品販売処理部は、固有取引番号を与え、販売日時、品目、金額などの販売情報を、ブログＵＲＬアドレス（または、商品販売ページが収録された記事のＵＲＬアドレス）と一緒に、ＯＣ用取引ＤＢに保存する。
【０１８４】
そして、ＯＣ用取引ＤＢ中の注文されたコンテンツ商品と、オープンマーケットシステムの商品ＤＢを検索して該当のコンテンツを含むファイルをダウンロードしたり、コンテンツをオンラインで照会、再生または設置したりすることで注文者に提供する。
【０１８５】
続いて、ブログスクラップセールスモジュールの販売補償処理部を介して商品購買及びブログ販売による購買決済及び配送が完了したか否かをチェックし、ブログスクラップ行為者のｅ−メール宛に販売補償請求情報を送信したり、ブログスクラップ行為者に、ブログ販売報償金をペイパルを用いて送ったり、販売補償請求に関する案内を転送したりする（Ｓ６４０）。
【０１８６】
すなわち、コンテンツ提供の完了が確認されると、提携販売連係部１１を介してブログスクラップセールスモジュールの販売補償処理部を制御し、コンテンツ販売ページをブログに掲載したブロガーへの販売補償処理を行う。
【０１８７】
本発明に係る販売補償処理部は、取引の完了後に、当該取引の固有番号、コンテンツ販売ページＵＲＬ及び注文日時を提携販売連係部１１を介して受信し、コンテンツ販売ページＵＲＬをスクラップＤＢから検索して、ブログ記事として掲載した行為者のｅ−メールを探し、そのｅ−メールに、ブログ販売報償金請求案内文を送信したり、ペイパルでブログ販売報償金を送ったりする。
【０１８８】
ここで、ブログ販売報償金は、ペイパルの他、振込み、サイバーマネーで該当のブロガーに支払うこともでき、あらかじめ定められた商品やサービスで支払うこともできる。
【０１８９】
また、販売補償に用いられたブロガーｅ−メール、報償金の支払われたか否か、支払日時、支払方法、ブログに記事掲載された販売ページＵＲＬ、取引固有番号などは、スクラップ販売ＤＢに記録して保存する。
【０１９０】
販売者には、コンテンツ販売金額から、ブログスクラップセール販売報償金とオープンマーケットシステムの使用による各種の手数料及び費用を除いた金額を、送金する。
【符号の説明】
【０１９１】
１００    ブログスクラップセールスモジュール
１１０    スクラップ処理部
１２０    スクラップＤＢ
１３０    販売補償処理部
【図１】
0005522553.tif 000003
【図２】
0005522553.tif 000004
【図３】
0005522553.tif 000005
【図４】
0005522553.tif 000006
【図５】
0005522553.tif 000007
【図６】
0005522553.tif 000008
【図７】
0005522553.tif 000009
【図８】
0005522553.tif 000010
【図９】
0005522553.tif 000011
【図１０】
0005522553.tif 000012
【図１１】
0005522553.tif 000013
【図１２】
0005522553.tif 000014
【図１３】
0005522553.tif 000015
【図１４】
0005522553.tif 000016
【図１５】
0005522553.tif 000017